(57)【要約】      （修正有）【課題】仮設柱の撤去を簡易な作業で行える撤去機構を提供する。【解決手段】モジュール型プラントにおける上部梁３０からの荷重を支えて下部梁４０との間に設けられてなる仮設柱１００を撤去するために当該仮設柱１００に備えた撤去機構であって、フランジと、前記フランジと前記フランジに対向する部材である対向部材との間にシムプレート１１，１２を挿入してなる荷重受け部と、前記フランジと前記対向部材との間に接続ボルトを螺合してなるシムプレート固定部と、ジャッキボルトのねじ部分の先端が前記対向部材を向くように前記フランジに備えた雌ねじ部に前記ジャッキボルトを螺合させてなるジャッキアップ部と、を備え、前記ジャッキボルトのねじ部分の長さは前記フランジの厚みと前記シムプレート１１，１２の厚みとの和より長く、前記ジャッキボルトのねじ部分の先端により前記対向部材を押圧可能であることを特徴とする撤去機構とした。【選択図】図１
2018003288.tif 000002
【特許請求の範囲】
【請求項１】
モジュール型プラントにおける上部梁からの荷重を支えて下部梁との間に設けられてなる仮設柱を撤去するために当該仮設柱に備えた撤去機構であって、
フランジと、
前記フランジと前記フランジに対向する部材である対向部材との間にシムプレートを挿入してなる荷重受け部と、
前記フランジと前記対向部材との間に接続ボルトを螺合してなるシムプレート固定部と、
ジャッキボルトのねじ部分の先端が前記対向部材を向くように前記フランジに備えた雌ねじ部に前記ジャッキボルトを螺合させてなるジャッキアップ部と、を備え、
前記ジャッキボルトのねじ部分の長さは前記フランジの厚みと前記シムプレートの厚みとの和より長く、前記ジャッキボルトのねじ部分の先端により前記対向部材を押圧可能であることを特徴とする撤去機構。
【請求項２】
前記シムプレートは、前記接続ボルトの挿通位置に対応し、一端を開放した長穴を備えたことを特徴とする請求項１に記載の撤去機構。
【請求項３】
モジュール型プラントにおける上部梁からの荷重を支えて下部梁との間に設けられてなる仮設柱であって、
前記仮設柱は、撤去機構を有し、
前記撤去機構は、フランジと、
前記フランジと前記フランジに対向する部材である対向部材との間にシムプレートを挿入してなる荷重受け部と、
前記フランジと前記対向部材との間に接続ボルトを螺合してなるシムプレート固定部と、
ジャッキボルトのねじ部分の先端が前記対向部材を向くように前記フランジに備えた雌ねじ部に前記ジャッキボルトを螺合させてなるジャッキアップ部と、を備え、
前記ジャッキボルトのねじ部分の長さは前記フランジの厚みと前記シムプレートの厚みとの和より長く、前記ジャッキボルトのねじ部分の先端により前記対向部材を押圧可能であることを特徴とする仮設柱。
【請求項４】
上部柱と下部柱とを有し、前記上部柱と前記下部柱との間に前記撤去機構を備え、前記対向部材は前記下部柱の最上部における部材であることを特徴とする請求項３に記載の仮設柱。
【請求項５】
最上部に前記撤去機構を備え、前記対向部材は前記上部梁における部材であることを特徴とする請求項３に記載の仮設柱。
【請求項６】
最下部に前記撤去機構を備え、前記対向部材は前記下部梁における部材であることを特徴とする請求項３に記載の仮設柱。
【請求項７】
モジュール型プラントにおける上部梁からの荷重を受けて下部梁との間に設けられてなる仮設柱を撤去する撤去方法であって、
前記仮設柱は撤去機構を有し、
前記撤去機構は、フランジと、
前記フランジと前記フランジに対向する部材である対向部材との間にシムプレートを挿入してなる荷重受け部と、
前記フランジと前記対向部材との間に接続ボルトを螺合してなるシムプレート固定部と、
ジャッキボルトのねじ部分の先端が前記対向部材を向くように前記フランジに備えた雌ねじ部に前記ジャッキボルトを螺合させてなるジャッキアップ部と、を備え、
前記ジャッキボルトのねじ部分の長さは前記フランジの厚みと前記シムプレートの厚みとの和より長く、前記ジャッキボルトのねじ部分の先端により前記対向部材を押圧可能であり、
前記接続ボルトを緩め、前記ジャッキボルトを螺嵌して前記ジャッキボルトのねじ部分の先端により前記対向部材を押圧して、前記フランジと前記対向部材との間に前記シムプレートの厚さよりも大きいスペースを形成した後、前記シムプレートを除去し、前記仮設柱を撤去することを特徴とする撤去方法。
【発明の詳細な説明】
【技術分野】
【０００１】
本発明は、モジュール型プラントにおける仮設柱の撤去機構、仮設柱、および撤去方法に関するものである。
【背景技術】
【０００２】
プラントを製作工場から据付地に輸送する際に、完成したプラントを複数のモジュールに分解して輸送し、据付地にて再度各モジュールを組み立てることが行われている。このとき、複数のモジュールに分解したことにより、柱の数が不足する等構造的に弱い部分ができる。この構造的弱点を補強するために仮設柱を設けて輸送することが行われている。この場合、モジュール組立後にこの仮設柱を撤去することが必要となる。
【０００３】
プラントには、複数の縦梁および横梁により支持された重量機械を内蔵しているため、モジュール組立後には仮設柱にそれらの荷重がかかる。したがって仮設柱撤去時には、その荷重を開放させて撤去しなければならず容易な作業ではない。従来は、クレーンでプラントを吊り下げて仮設柱にかかる荷重をなくした状態で仮設柱を撤去するか、強引に仮設柱を切断して撤去する方法が実施されている。しかしながら、このような方法は手間がかかるという問題があった。
【０００４】
特許文献１には、完成したプラントを多数のモジュールに分割して輸送し、外国における所定位置において各モジュールを組み立てるプラント建設の構成が記載されている。
【先行技術文献】
【特許文献】
【０００５】
特許文献１：特開昭６０−８０６２８号公報
【発明の概要】
【発明が解決しようとする課題】
【０００６】
しかしながら、特許文献１記載のものは、複数のモジュールに分割した後の構造的弱点を補強する仮設柱については記載がなく、仮設柱の要否や撤去方法については不明である。このため、現在まで、荷重がかかっている仮設柱の撤去を簡易に行うことが困難であるという問題があった。
【０００７】
本発明は、上記問題点を解決して、仮設柱の撤去を簡易な作業で行えるようにすることを課題とする。
【課題を解決するための手段】
【０００８】
上記課題を解決するために本発明は、モジュール型プラントにおける上部梁からの荷重を支えて下部梁との間に設けられてなる仮設柱を撤去するために当該仮設柱に備えた撤去機構であって、
フランジと、
前記フランジと前記フランジに対向する部材である対向部材との間にシムプレートを挿入してなる荷重受け部と、
前記フランジと前記対向部材との間に接続ボルトを螺合してなるシムプレート固定部と、
ジャッキボルトのねじ部分の先端が前記対向部材を向くように前記フランジに備えた雌ねじ部に前記ジャッキボルトを螺合させてなるジャッキアップ部と、を備え、
前記ジャッキボルトのねじ部分の長さは前記フランジの厚みと前記シムプレートの厚みとの和より長く、前記ジャッキボルトのねじ部分の先端により前記対向部材を押圧可能であることを特徴とする撤去機構を提供するものである。
【０００９】
この構成により、ジャッキアップ部でジャッキアップし、シムプレートを除去することにより荷重を開放することができ、仮設柱の撤去を簡易な作業で行えるようにすることができる。
【００１０】
前記シムプレートは、前記接続ボルトの挿通位置に対応し、一端を開放した長穴を備えるように構成してもよい。
【００１１】
この構成より、シムプレートの挿入および除去を容易にし、仮設柱の撤去を簡易な作業で行えるようにすることができる。
【００１２】
また、上記課題を解決するために本発明は、モジュール型プラントにおける上部梁からの荷重を支えて下部梁との間に設けられてなる仮設柱であって、前記仮設柱は、撤去機構を有し、前記撤去機構は、フランジと、前記フランジと前記フランジに対向する部材である対向部材との間にシムプレートを挿入してなる荷重受け部と、前記フランジと前記対向部材との間に接続ボルトを螺合してなるシムプレート固定部と、ジャッキボルトのねじ部分の先端が前記対向部材を向くように前記フランジに備えた雌ねじ部に前記ジャッキボルトを螺合させてなるジャッキアップ部と、を備え、前記ジャッキボルトのねじ部分の長さは前記フランジの厚みと前記シムプレートの厚みとの和より長く、前記ジャッキボルトのねじ部分の先端により前記対向部材を押圧可能であることを特徴とする仮設柱を提供するものである。
【００１３】
この構成により、ジャッキアップ部でジャッキアップし、シムプレートを除去することにより荷重を開放することができ、仮設柱の撤去を簡易な作業で行えるようにすることができる。
【００１４】
上部柱と下部柱とを有し、前記上部柱と前記下部柱との間に前記撤去機構を備え、前記対向部材は前記下部柱の最上部における部材である構成としてもよい。
【００１５】
この構成により、作業者が作業しやすい位置に撤去機構を設けることができ、仮設柱の撤去を簡易な作業で行えるようにすることができる。
【００１６】
最上部に前記撤去機構を備え、前記対向部材は前記上部梁における部材である構成としてもよい。
【００１７】
この構成により、仮設柱を上部柱と下部柱とに分ける必要がなくなるとともに、仮設柱の撤去を簡易な作業で行えるようにすることができる。
【００１８】
最下部に前記撤去機構を備え、前記対向部材は前記下部梁における部材である構成としてもよい。
【００１９】
この構成により、仮設柱を上部柱と下部柱とに分ける必要がなくなるとともに、仮設柱の撤去を簡易な作業で行えるようにすることができる。
【００２０】
また、上記課題を解決するために本発明は、モジュール型プラントにおける上部梁からの荷重を受けて下部梁との間に設けられてなる仮設柱を撤去する撤去方法であって、前記仮設柱は撤去機構を有し、前記撤去機構は、フランジと、前記フランジと前記フランジに対向する部材である対向部材との間にシムプレートを挿入してなる荷重受け部と、前記フランジと前記対向部材との間に接続ボルトを螺合してなるシムプレート固定部と、ジャッキボルトのねじ部分の先端が前記対向部材を向くように前記フランジに備えた雌ねじ部に前記ジャッキボルトを螺合させてなるジャッキアップ部と、を備え、前記ジャッキボルトのねじ部分の長さは前記フランジの厚みと前記シムプレートの厚みとの和より長く、前記ジャッキボルトのねじ部分の先端により前記対向部材を押圧可能であり、前記接続ボルトを緩め、前記ジャッキボルトを螺嵌して前記ジャッキボルトのねじ部分の先端により前記対向部材を押圧して、前記フランジと前記対向部材との間に前記シムプレートの厚さよりも大きいスペースを形成した後、前記シムプレートを除去し、前記仮設柱を撤去することを特徴とする撤去方法を提供するものである。
【００２１】
この構成により、ジャッキアップ部でジャッキアップし、シムプレートを除去することにより荷重を開放することができ、仮設柱の撤去を簡易な作業で行えるようにすることができる。
【発明の効果】
【００２２】
本発明の撤去機構、仮設柱、および撤去方法により、仮設柱の撤去を簡易な作業で行えるようにすることができる。
【図面の簡単な説明】
【００２３】
【図１】本発明の実施例１における仮設柱撤去の概要を説明する図である。
【図２】本発明の実施例１における撤去機構の例を説明する図である。
【図３】本発明の実施例１における撤去方法の例を説明する図である。
【図４】本発明の実施例２における撤去機構が設けられた仮設柱の例を説明する図である。
【図５】本発明の実施例３における撤去機構が設けられた仮設柱の例を説明する図である。
【発明を実施するための形態】
【実施例１】
【００２４】
本発明の実施例１について、図１〜図３を参照して説明する。図１は、本発明の実施例１における仮設柱撤去の概要を説明する図である。図２は、本発明の実施例１における撤去機構の例を説明する図である。図３は、本発明の実施例１における撤去方法の例を説明する図である。
【００２５】
モジュール型プラントにおける仮設柱は、組み立てた後に上部梁から荷重を受けるため、そのままでは簡易に撤去することが困難である。そこで、本発明においては、仮設柱の一部に撤去機構を設けることにより、仮設柱が受ける荷重を開放して、仮設柱の撤去を容易にしている。実施例１においては、作業者が作業しやすい位置である仮設柱の途中に撤去機構を設けている。ここで、本発明において、モジュール型プラントとは、分割されている各モジュールを組立てて完成させるプラントをいう。このとき、分割されたモジュールは柱の数が不足して構造的に弱い部分ができるため、それを補強するために仮設柱を設けており、この仮設柱はプラント組立後撤去される。
【００２６】
以下、本発明の実施例１における仮設柱撤去の概要について図１を参照して説明する。図１（ａ）は、組立後のモジュール型プラントにおける仮設柱１００を示している。仮設柱１００は、上部柱１５０、下部柱１６０、および撤去機構１０を含んでいる。仮設柱１００の上部は上部柱１５０が上部梁３０にボルト等により固定されこの上部梁３０から荷重を受けている。仮設柱１００の下部は下部柱１６０が下部梁４０にボルト等により固定されている。そして、撤去機構１０は上部柱１５０と下部柱１６０との間に設けられている。上部柱１５０の長さおよび下部柱１６０の長さは任意であるが、作業者が作業しやすい位置に撤去機構１０が位置するように上部柱１５０の長さおよび下部柱１６０の長さを設定することが望ましい。そして、上部柱１５０の長さと撤去機構１０におけるシムプレート１１、１２の厚みと下部柱１６０の長さとの合計が、上部梁３０の下端から下部梁４０の上端までの長さになるように、上部柱１５０の長さと撤去機構１０におけるシムプレート１１、１２の厚みと下部柱１６０の長さとを設定する。
【００２７】
撤去機構１０はシムプレート１１およびシムプレート１２に荷重をかける状態で備えており、このシムプレート１１およびシムプレート１２を除去する（図１（ｂ））ことで撤去機構１０にスペースができる。つまり、上部梁３０の下端から下部梁４０の上端までの距離の方が、上部柱１５０の長さと下部柱１６０の長さとの合計よりも長くなる。このために仮設柱１００にかかっていた荷重が開放される（図１（ｃ））。荷重が開放された仮設柱１００は、上部柱１５０および下部柱１６０ともに固定されていたボルト等を除去することにより容易に撤去することができる。
【００２８】
次に、撤去機構１０について図２を参照して詳しく説明する。図２（ａ）は、仮設柱１００における撤去機構１０を説明する図であり、図２（ｂ）は、撤去機構１０におけるシムプレートを説明するＡ−Ａ矢視図である。なお、以下の説明において、フランジ２１に対向する部材を「対向部材」と称す。撤去機構１０は、仮設柱１００の上部柱１５０の最下部に設けたフランジ２１と、フランジ２１と対向部材との間にシムプレート１１およびシムプレート１２を挿入してなる荷重受け部１４１と、フランジ２１と対向部材との間に接続ボルト１７、１８、１９、２０を螺合してなるシムプレート固定部１４２と、ジャッキボルト１３、１４、１５、１６のねじ部分の先端が対向部材を向くようにフランジ２１に備えた雌ねじ部１３Ｓ、１４Ｓ、１５Ｓ、１６Ｓにジャッキボルト１３、１４、１５、１６を螺合させてなるジャッキアップ部１４０と、を備え、ジャッキボルト１３、１４、１５、１６のねじ部分の長さはフランジ２１の厚みとシムプレート１１、１２の厚みとの和より長く、ジャッキボルト１３、１４、１５、１６のねじ部分の先端により対向部材を押圧可能であるように構成している。ここで、ジャッキボルト１３、１４、１５、１６はボルトで構成されている。
【００２９】
ここで、実施例１におけるフランジ２１に対向する部材（対向部材）とは、下部柱の最上部にある対向部材２２を言い、フランジ２１と対向する面積を有している。そして、フランジ２１、シムプレート１１、１２、対向部材２２が鉛直方向に並んで配置されている。また、接続ボルト１７、１８、１９、２０は、ボルトからなり、フランジ２１および対向部材２２に備えた挿通孔に挿通させた上で、ナット１７Ｎ、１８Ｎ、１９Ｎ、２０Ｎに螺合させている。
【００３０】
図２（ｂ）に示すように、シムプレート１１は、接続ボルト１７、１８の挿通位置に対応し、一端を開放した長穴１１Ａおよび１１Ｂを備えた板材であり、シムプレート１２は、接続ボルト１９、２０の挿通位置に対応し、一端を開放した長穴１２Ａおよび１２Ｂを備えた板材である。この長穴１１Ａ、１１Ｂ、１２Ａ、１２Ｂを備えることにより、シムプレート１１およびシムプレート１２が、接続ボルト１７、１８、１９、２０の締め付け力を充分伝達させる面積を有する形状であるとともに、荷重受け部１４１に挿入又は除去しやすくなっている。シムプレート１１およびシムプレート１２の材質は限定するものではなく、鉄、アルミ、ステンレス等の金属や強化プラスチックなどの柱を支えるための強度があり変形の少ない材質を使用することができる。シムプレート１１およびシムプレート１２は同じ厚さを有している。また、シムプレート１１およびシムプレート１２の厚さは仮設柱が受ける荷重により適宜選択できる。つまり、シムプレート１１およびシムプレート１２を除去した場合における上部柱１５０の撓み量より大きければよく、シムプレート１１およびシムプレート１２の除去後にフランジ２１と対向部材２２の間にクリアランスが形成されればよい。
【００３１】
なお、実施例１においては、荷重受け部１４１に挿入するシムプレートをシムプレート１１および１２の２枚構成としたが、これに限定されるものではない。例えば、シムプレート１１の長穴１１Ａおよび１１Ｂの長さを接続ボルト１９、２０の挿通位置に対応する位置まで含むように長くして、シムプレート１２を省略しシムプレート１１のみの１枚構成としてもよい。また、各シムプレートを一つの接続ボルトの挿通位置に対応するサイズにして４枚構成としてもよい。さらに、長穴を設けることなく四角形等のシムプレートとして細分化された構成としてもよい。
【００３２】
また、実施例１においては、接続ボルト１７、１８、１９、２０は、フランジ２１および対向部材２２に備えたそれぞれの挿通孔に挿通させた上で、ナット１７Ｎ、１８Ｎ、１９Ｎ、２０Ｎに螺合させる構成としたが、これに限定されるものではなく、適宜その構成は変更が可能である。例えば、接続ボルト１７、１８、１９、２０を螺合させる方向をフランジ２１から対向部材２２に向ける方向としてもよいし、対向部材２２からフランジ２１に向ける方向としてもよい。また、フランジを下部柱１６０の最上部に設けて、上部柱１５０の最下部における対向部材に向けて下からジャッキアップする構成にしてもよい。
【００３３】
また、実施例１における雌ねじ部１３Ｓ、１４Ｓ、１５Ｓ、１６Ｓは、図２（ａ）に示すようにフランジ２１の下面にナットを溶接して設けている。しかし、これに限定するものではなく、適宜変更することが可能である。例えば、フランジ２１の上面にナットを強度のある溶接をして設けてもよいし、フランジ２１の孔に雌ねじを形成してもよい。
【００３４】
また、実施例１においては、接続ボルトの数を４本とし、ジャッキボルトの数を４本としたが、必ずしもこれに限定されるものではなく、荷重の大きさや撤去機構の都合により適宜変更できる。例えば、接続ボルトおよびジャッキボルトの数を２本としてもよいし、５本以上としてもよい。
【００３５】
次に、実施例１における仮設柱の撤去方法について、図３を参照して説明する。プラントのモジュールが組み立てられた状態では、上部柱１５０と下部柱１６０との間に撤去機構１０が設けられ、接続ボルト１７、１８、１９、２０がナット１７Ｎ、１８Ｎ、１９Ｎ、２０Ｎに螺嵌されてシムプレート固定部１４２が形成されている（図３（ａ））。そして、上部梁３０（図１参照）からの荷重を受け、シムプレート１１、１２（図２（ｂ）参照）が荷重受け部１４１を形成している。
【００３６】
まず、接続ボルト１７、１８、１９、２０（図２（ａ）、（ｂ）参照）とナット１７Ｎ、１８Ｎ、１９Ｎ、２０Ｎ（図２（ａ）参照、但し、ナット１９Ｎ、２０Ｎは図示せず）との締め付けを緩めて、図３（ｂ）に示すクリアランスＡのような隙間をつくる。次に、ジャッキボルト１３、１４、１５、１６の螺合を締め付けて、そのねじ部分先端を対向部材２２に対して押圧する。この押圧により、フランジ２１とシムプレート１１、１２との間にクリアランスＢを得る（図３（ｂ））。これで、フランジ２１と対向部材２２との間にシムプレート１１、１２の厚さよりも大きいスペースが形成されて、シムプレート１１、１２にかかる荷重は開放され、シムプレート１１、１２は容易に除去可能の状態となる。
【００３７】
次に、シムプレート１１、１２を荷重受け部１４１から引き抜くことで除去する（図３（ｃ））。次に、ナット１７Ｎ、１８Ｎ、１９Ｎ、２０Ｎをさらに緩めて、接続ボルト１７、１８、１９、２０を除去する。そうすると、上部柱１５０および下部柱１６０が容易に除去可能となるので、これらを除去して、仮設柱１００の撤去を完了する。
【００３８】
なお、実施例１においては、シムプレート１１、１２を除去してから接続ボルト１７、１８、１９、２０を除去するようにしたが、必ずしもこれに限定されず、適宜変更が可能である。例えば、先に接続ボルト１７、１８、１９、２０を除去してからシムプレート１１、１２を除去してもよい。この場合は、シムプレート１１、１２に長穴１１Ａ、１１Ｂ、１２Ａ、１２Ｂがなくても除去でき、シンプルな形状のシムプレートとすることができる。
【００３９】
以上のように、本発明の実施例１においては、モジュール型プラントにおける上部梁からの荷重を支えて下部梁との間に設けられてなる仮設柱を撤去するために当該仮設柱に備えた撤去機構であって、
フランジと、
前記フランジと前記フランジに対向する部材である対向部材との間にシムプレートを挿入してなる荷重受け部と、
前記フランジと前記対向部材との間に接続ボルトを螺合してなるシムプレート固定部と、
ジャッキボルトのねじ部分の先端が前記対向部材を向くように前記フランジに備えた雌ねじ部に前記ジャッキボルトを螺合させてなるジャッキアップ部と、を備え、
前記ジャッキボルトのねじ部分の長さは前記フランジの厚みと前記シムプレートの厚みとの和より長く、前記ジャッキボルトのねじ部分の先端により前記対向部材を押圧可能であることを特徴とする撤去機構により、仮設柱の撤去を簡易な作業で行えるようにすることができる。
【００４０】
また、モジュール型プラントにおける上部梁からの荷重を支えて下部梁との間に設けられてなる仮設柱であって、
前記仮設柱は、撤去機構を有し、
前記撤去機構は、フランジと、
前記フランジと前記フランジに対向する部材である対向部材との間にシムプレートを挿入してなる荷重受け部と、
前記フランジと前記対向部材との間に接続ボルトを螺合してなるシムプレート固定部と、
ジャッキボルトのねじ部分の先端が前記対向部材を向くように前記フランジに備えた雌ねじ部に前記ジャッキボルトを螺合させてなるジャッキアップ部と、を備え、
前記ジャッキボルトのねじ部分の長さは前記フランジの厚みと前記シムプレートの厚みとの和より長く、前記ジャッキボルトのねじ部分の先端により前記対向部材を押圧可能であることを特徴とする仮設柱により、仮設柱の撤去を簡易な作業で行えるようにすることができる。
【００４１】
さらに、モジュール型プラントにおける上部梁からの荷重を受けて下部梁との間に設けられてなる仮設柱を撤去する撤去方法であって、
前記仮設柱は撤去機構を有し、
前記撤去機構は、フランジと、
前記フランジと前記フランジに対向する部材である対向部材との間にシムプレートを挿入してなる荷重受け部と、
前記フランジと前記対向部材との間に接続ボルトを螺合してなるシムプレート固定部と、
ジャッキボルトのねじ部分の先端が前記対向部材を向くように前記フランジに備えた雌ねじ部に前記ジャッキボルトを螺合させてなるジャッキアップ部と、を備え、
前記ジャッキボルトのねじ部分の長さは前記フランジの厚みと前記シムプレートの厚みとの和より長く、前記ジャッキボルトのねじ部分の先端により前記対向部材を押圧可能であり、
前記接続ボルトを緩め、前記ジャッキボルトを螺嵌して前記ジャッキボルトのねじ部分の先端により前記対向部材を押圧して、前記フランジと前記対向部材との間に前記シムプレートの厚さよりも大きいスペースを形成した後、前記シムプレートを除去し、前記仮設柱を撤去することを特徴とする撤去方法により、仮設柱の撤去を簡易な作業で行えるようにすることができる。
【実施例２】
【００４２】
本発明の実施例２は、撤去機構を仮設柱の最上部に設けた点で、実施例１と異なっている。以下、図４を参照して実施例２について説明する。図４は、本発明の実施例２における撤去機構が設けられた仮設柱の例を説明する図である。
【００４３】
図４に示すように、撤去機構２１０が仮設柱２００の最上部に設けられている。撤去機構２１０は、実施例１における撤去機構１０と同様であるが、フランジに対向する部材（対向部材）は上部梁３０における部材であり、ジャッキボルトが仮設柱最上部のフランジから上部梁３０に向けた構成となっている。そして、上部梁３０とジャッキボルトのねじ部分先端との間、および上部梁３０とシムプレートとの間には上部梁３０を保護する保護プレート２２０が設けられている。保護プレート２２０は板材からなり、その材質は任意であるが、鉄、アルミ、ステンレス等の金属や強化プラスチックなどの柱を支えるための強度があり変形の少ない材質を採用することができる。また、保護プレート２２０の大きさは、少なくともジャッキボルトのねじ部先端による押圧点全てとシムプレートとを含む大きさであればよく、厚さはジャッキボルトのねじ部先端が押圧されても上部梁３０を傷つけず保護できる厚さであればよい。
【００４４】
実施例２においても、撤去に際しては、接続ボルトを緩め、ジャッキボルトを螺嵌してねじ部分の先端により上部梁３０における部材を押圧し、フランジとフランジに対向する上部梁３０における部材との間にシムプレートの厚さよりも大きいスペースを形成した後、シムプレートを除去し仮設柱２００が荷重を受けないようにして、仮設柱２００を撤去する。
【００４５】
以上のように、実施例２においては、撤去機構を最上部に設けた仮設柱とすることにより、上部柱および下部柱を不要にできるとともに、仮設柱の撤去を簡易な作業で行えるようにすることができる。
【実施例３】
【００４６】
本発明の実施例３は、撤去機構を仮設柱の最下部に設けた点で、実施例１と異なっている。以下、図５を参照して実施例３について説明する。図５は、本発明の実施例３における撤去機構が設けられた仮設柱の例を説明する図である。
【００４７】
図５に示すように、撤去機構３１０が仮設柱３００の最下部に設けられている。撤去機構３１０は、実施例１における撤去機構１０と同様であるが、フランジに対向する部材（対向部材）が下部梁４０における部材であり、ジャッキボルトが仮設柱最下部のフランジから下部梁４０に向けた構成となっている。そして、下部梁４０とジャッキボルトのねじ部分先端との間、および下部梁４０とシムプレートとの間には保護プレート３２０が設けられている。保護プレートは板材からなり、その材質は任意であるが、鉄、アルミ、ステンレス等の金属や強化プラスチックなどの柱を支えるための強度があり変形の少ない材質を採用することができる。また、保護プレートの大きさは、少なくともジャッキボルトのねじ部先端による押圧点全てとシムプレートとを含む大きさであればよく、厚さはジャッキボルトのねじ部先端が押圧されても下部梁４０を傷つけず保護できる厚さであればよい。
【００４８】
実施例３においても、撤去に際しては、接続ボルトを緩め、ジャッキボルトを螺嵌してねじ部分の先端により下部梁４０における部材を押圧して、フランジとフランジに対向する下部梁４０における部材との間にシムプレートの厚さよりも大きいスペースを形成した後、シムプレートを除去し仮設柱３００が荷重を受けないようにして、仮設柱３００を撤去する。
【００４９】
以上のように、実施例３においては、撤去機構を最下部に設けた仮設柱とすることにより、上部柱および下部柱を不要にできるとともに、仮設柱の撤去を簡易な作業で行えるようにすることができる。
【産業上の利用可能性】
【００５０】
本発明における撤去機構、仮設柱、および撤去方法は、モジュール型プラントの分野に広く用いることができる。
【符号の説明】
【００５１】
１０：撤去機構    １１：シムプレート    １２：シムプレート１１Ａ：長穴    １１Ｂ：長穴    １２Ａ：長穴    １２Ｂ：長穴１３：ジャッキボルト    １４：ジャッキボルト    １５：ジャッキボルト    １６：ジャッキボルト１３Ｓ：雌ねじ部    １４Ｓ：雌ねじ部    １５Ｓ：雌ねじ部    １６Ｓ：雌ねじ部１７：接続ボルト    １８：接続ボルト    １９：接続ボルト    ２０：接続ボルト１７Ｎ：ナット    １８Ｎ：ナット    １９Ｎ：ナット    ２０Ｎ：ナット２１：フランジ    ２２：フランジに対向する部材（対向部材）３０：上部梁    ４０：下部梁
１００：仮設柱    １４０：ジャッキアップ部    １４１：荷重受け部
１４２：シムプレート固定部
１５０：上部柱    １６０：下部柱
２００：仮設柱    ２１０：撤去機構    ２２０：保護プレート
３００：仮設柱    ３１０：撤去機構    ３２０：保護プレート
【図１】
2018003288.tif 000003
【図２】
2018003288.tif 000004
【図３】
2018003288.tif 000005
【図４】
2018003288.tif 000006
【図５】
2018003288.tif 000007